(57)【特許請求の範囲】
【請求項１】
納骨室(1)の上面開口を蓋となる２枚の石材(4,5)で閉鎖した墓において、納骨室(1)の上面開口を囲む上方に突出した突条(3)が設けられるとともに、上記２枚の石材の一方(5)はその接合面(7)の下方部に前記突条(3)の差し渡し寸法(A)より幅広い突出部(8)を備え、他方(4)はその接合面(13)の下方部に前記突出部(8)を収納する凹所(12)を備え、前記突出部(8)はこれを設けた接合面(7)に沿う幅方向に流水溝(9)を備えていることを特徴とする、納骨室の防水構造。
【請求項２】
納骨室(1)の上面開口を覆う２枚の石材(4,5)の下面に納骨室の上縁周囲の突条(3)に嵌合する溝(11)または偏平な凹所(12)が形成されていることを特徴とする、請求項１記載の納骨室の防水構造。
【発明の詳細な説明】
【０００１】
【発明の属する技術分野】
この発明は、石材を積み上げて作られる墓に関し、特に墓石内に設けられる納骨室に雨水が浸入するのを防止した墓の構造に関するものである。
【０００２】
【従来の技術】
我が国の墓は、石を積み上げて作られている。墓の構造は地域や宗派等によって若干異なるが、一般的には大地に繋がる納骨室があり、納骨室の前方または上方に骨を納めるための開口が設けられている。この開口を納骨室の前方に設けたものでは、花台などによってその開口を塞いでおり、上方に開口を設けたものでは角台や拝石などの石材で開口を塞いでいる。納骨室に雨水が浸入するのを防止するという観点から言えば、納骨室の前面に開口を設けたものが有利であるが、公共の墓地などで墓の高さに制限を設けているところでは、墓の高さを低く抑えるために開口を上面に設けなければならないことも多い。
【０００３】
納骨室の上面に納骨用の開口を設けた従来の墓の一例を図７に側面で示す。納骨室１は台石２の中心を上下に貫通するように設けられており、一般に角台と呼ばれている石材５と、拝石と呼ばれている石材４とで納骨室１の上面開口が閉鎖されている。角台５の上には竿と呼ばれる石材６が積み上げられ、拝石４の上には花立１４が配置される。納骨をするときは花立１４をどかし、拝石４を開いて納骨をする。花立１４や拝石４は一人か二人の力で動かせる重さに作られている。これに対して角台５や竿６は重く、通常は一旦建立した後に動かされることはない。
【０００４】
このような構造の墓では角台５と拝石４とのつなぎ目からの雨水の浸入が問題になる。納骨室への雨水の浸入を防止する構造として種々の構造が提案されているが、プラスチックやゴムなどのパッキンを用いる構造は、パッキンの交換のためにわざわざ納骨室を開けるようなことはしないので、パッキンの劣化のために長期間の防水作用を維持することはできない。また納骨室の上面周囲を囲む突条（水切り用の土手）を設ける構造も提案されているが、周囲からの雨水の浸入は防止できても、上方からの雨水の浸入は防止することができず、防水構造としては不完全である。なお古い墓には納骨室の上面開口全体を１個の角台で塞いだものもあり、この構造は納骨室への雨水の浸入を防止するうえでは有利であるが、納骨の際に重い竿や角台を動かさなければならないので、納骨作業が大変である。
【０００５】
【発明が解決しようとする課題】
この発明は、納骨室の上面開口を角台などの動かさない石材と拝石などの開閉される石材とで塞いだ構造の墓において、納骨室の上面を塞いでいる２個の石材の接合部からの雨水の浸入を確実に防止し、かつ納骨室の上面周囲からの雨水の浸入も防止することが可能な納骨室の防水構造を得ることを課題としている。
【０００６】
【課題を解決するための手段】
請求項１記載の納骨室の防水構造は、納骨室１の上面開口を蓋となる２枚の石材４、５で閉鎖した墓において、納骨室１の上面開口を囲む上方に突出した突条３が設けられるとともに、上記２枚の石材の一方５はその接合面７の下方部に前記突条３の差し渡し寸法Ａより幅広い突出部８を備え、他方４はその接合面１３の下方部に前記突出部８を収納する凹所１２を備え、前記突出部８はこれを設けた接合面７に沿う幅方向に流水溝９を備えていることを特徴とするものである。
【０００７】
請求項２記載の発明は、請求項１記載の納骨室の防水構造において、納骨室１の上面開口を覆う２枚の石材４、５の下面に納骨室の上縁周囲の突条３に嵌合する溝１１または偏平な凹所１２が形成されていることを特徴とするものである。
【０００８】
２枚の石材の一方５に設ける突出部８の幅Ｂは当該石材の幅と等しい幅とするか、またはそれより短い幅で形成する。突出部８の幅を石材５の幅より短くしたときは、他方の石材４の接合面１３に形成される凹所１２の幅は当該石材の幅より短くなり、この凹所の上方及び左右側面を囲むように下向き偏平なコ字状の庇が形成される。突出部８の幅Ｂを石材５の幅と等しくした構造は、製造コストの点で有利であるが、外観の点では突出部８の幅Ｂを石材５の幅より狭く設けた構造が好ましい。
【０００９】
上記構造の墓においては、納骨室の上面を塞いでいる２枚の石材４、５の接合部に浸入した雨水は、突出部８の上面根元部分に設けられた流水溝９を通って突出部８の両側へと流れて流下する。この流下する部分は納骨室の周囲に設けられた突条３の外側となるので、流水溝９を流れた雨水及び納骨室１の周囲の雨水が納骨室１に流入することがない。
【００１０】
また請求項２の構造のものでは、納骨室の周囲の突条３と蓋となる石材４、５の下面に設けた溝１１または凹所１２が嵌合することにより、これらの石材４、５の位置が定まり、墓石がずれるのを防止することができる。
【００１１】
【発明の実施の形態】
以下図１ないし図６に示す実施例を参照して、この発明の実施の形態を説明する。図示実施例のものでは納骨室１は台石２を貫通する上下方向の矩形の孔で形成されている。台石２の上面には納骨室１の上面開口を囲むように、上方に突出する矩形の突条３が形成されている。この突条３は台石２の上面の突条３より外側の部分を削り落とすことによって、台石２と一体に形成されている。
【００１２】
台石２の上面には手前側に拝石４が、奥側に角台５が載置される。角台５の上には竿６が載置される。角台５の接合面７の下辺に沿って角台５の幅より幅が狭くかつ前記突条３の幅方向の差し渡し寸法Ａより長い幅Ｂの突出部８が形成されている。この突出部８の上面は平らで、その根元部（接合面７に沿う部分）には流水溝９が接合面７に沿って設けられている。また角台５の下面には台石に形成した突条３と嵌合する溝１１がその溝幅及び溝深さを突条３の幅及び高さより若干大きくして設けられている。
【００１３】
一方、拝石４の下面はその中央部分が偏平なコ字形の皿状に切除されて、その切除された凹所１２の接合面（角台の接合面７と当接する面）１３側の部分が角台の突出部８を収容する部分となっており、さらにこの凹所のコ字形の外周部分が納骨室の周囲に設けた突条３と嵌合する部分となっている。この構造により拝石４は、持ち上げなくても墓の手前側へずらして開くことができる。拝石４の上には角台５の前面に近接して花立１４が載置される。
【００１４】
納骨をするときは、花立１４をどかし、拝石４を手前側へずらしまたは持ち上げて、納骨室１を開放する。納骨室を塞いでいる角台５と拝石４との接合部７、１３に浸入した雨水は、突出部８によって流下を妨げられ、流水溝９を通って突出部８の左右に流れる。一方、角台や拝石の上面に降った雨水は、これらの石材の周囲に流れる。これらの雨水は台石２の上面の突条３より外側の部分に流れるので、納骨室１に流入することがない。
【図面の簡単な説明】
【図１】本発明の防水構造の墓の側面図
【図２】台石の平面図
【図３】角台の斜視図
【図４】角台の底面図
【図５】拝石の斜視図
【図６】竿の斜視図
【図７】従来構造の墓の側面図
【符号の説明】
１  納骨室
３  突条
４  拝石
５  角石
８  突出部
９  流水溝
11  溝
12  凹所
Ａ  差し渡し寸法
【図１】
0003715452.tif 000002
【図２】
0003715452.tif 000003
【図３】
0003715452.tif 000004
【図４】
0003715452.tif 000005
【図５】
0003715452.tif 000006
【図６】
0003715452.tif 000007
【図７】
0003715452.tif 000008